(57)【要約】【課題】  会員登録された遊技客に対して、価値の高いサービスを提供し、サービスの向上、他店との差別化、遊技客の増加などを図る。【解決手段】  会員登録された遊技客の情報を管理する会員管理装置５０と、ネットワーク６０を介して会員管理装置５０と通信可能に接続される台端末１０などの端末装置を備える遊技場システムであって、会員管理装置５０は、端末装置を介して、会員登録された遊技客からテレビ番組の録画依頼を受け付ける録画依頼受付手段５３ｂを備え、会員登録された遊技客に対して、テレビ番組の録画代行サービスを提供する。【選択図】      図１
2006198086.tif 000002
【特許請求の範囲】
【請求項１】
会員登録された遊技客の情報を管理する会員管理装置と、ネットワークを介して前記会員管理装置と通信可能に接続される端末装置を備える遊技場システムであって、
前記会員管理装置は、前記端末装置を介して、会員登録された遊技客からテレビ番組の録画依頼を受け付ける録画依頼受付手段を備えることを特徴とする遊技場システム。
【請求項２】
前記会員管理装置は、所定の記録媒体にテレビ番組を録画するテレビ番組録画装置に対して、録画依頼のあったテレビ番組の録画を指示する録画指示手段を備える請求項１記載の遊技場システム。
【請求項３】
前記会員管理装置は、録画代行サービスの対価を、遊技客が獲得した遊技媒体から引き落とす決済手段を備える請求項１又は２記載の遊技場システム。
【請求項４】
前記端末装置は、遊技機毎に設置される台端末、遊技情報を開示する遊技情報端末、及び／又は、景品交換カウンタに設置される景品交換端末である請求項１〜３のいずれかに記載の遊技場システム。
【請求項５】
会員登録された遊技客の情報を管理するとともに、ネットワークを介して端末装置と通信可能な会員管理装置であって、
前記端末装置を介して、会員登録された遊技客からテレビ番組の録画依頼を受け付ける録画依頼受付手段を備えることを特徴とする会員管理装置。
【請求項６】
所定の記録媒体にテレビ番組を録画するテレビ番組録画装置に対して、録画依頼のあったテレビ番組の録画を指示する録画指示手段を備える請求項５記載の会員管理装置。
【請求項７】
録画サービスの対価を、遊技客が獲得した遊技媒体から引き落とす決済手段を備える請求項５又は６記載の会員管理装置。
【発明の詳細な説明】
【技術分野】
【０００１】
本発明は、パチンコホールやパチスロホールなどの遊技場に導入される遊技場システムと会員管理装置に関し、特に、会員登録された遊技客に対して、価値の高い会員サービスを提供できる遊技場システム及び会員管理装置に関する。
【背景技術】
【０００２】
近年、遊技客（顧客）を囲い込むために、各種の会員サービスを提供する遊技場が増えている。通常、遊技客が会員登録すると、固有の会員ＩＤを記録した会員カードが発行され、当該会員カードの利用により、各種の会員サービスが提供されるようになっている。
これまで提供されている会員サービスとしては、例えば、来店や大当たりに応じて景品交換可能なポイントを付与するポイントサービス、遊技機の詳細な遊技情報を提供する遊技情報サービス、新機種の導入予定日などをＤＭや電子メールで通知する新機種情報サービス、獲得した遊技媒体を再プレイ可能な状態で貯蓄する貯玉サービスなどが知られている。
【０００３】
また、貯玉サービスの導入を前提としたワゴンサービスも提案されている（例えば、特許文献１参照）。
このワゴンサービスは、サービスの担当係員が、低額景品（タバコ、飲料など）が収納されたワゴンを遊技客の近くまで運搬するとともに、遊技客が希望する景品データを、携帯式の注文入力装置に入力すると、景品の価値に相当する遊技媒体が遊技客の貯玉から引き落とされるようになっている。
このようなワゴンサービスにより、遊技客は、席を離れることなく、低額景品の交換を行うことが可能となった。
【０００４】
【特許文献１】特開平９−２７６５１９号公報（第３−７頁、第１図）
【発明の開示】
【発明が解決しようとする課題】
【０００５】
しかしながら、従来の会員サービスは、遊技に関する特典の付与や、遊技場内における利便性の向上を目的としているので、サービスの向上に限界があり、他店との差別化も難しくなってきている。
このため、サービスの向上、他店との差別化、遊技客の増加などが図れる価値の高い新規な会員サービスの出現が望まれるようになったが、現在までのところ有効な提案はなされていない。
【０００６】
本発明は、上記の事情にかんがみなされたものであり、会員登録された遊技客に対して、テレビ番組の録画代行という価値の高いサービスを提供することにより、サービスの向上と、他店との差別化，遊技客の増加等を図ることができる遊技場システム及び会員管理装置の提供を目的とする。
【課題を解決するための手段】
【０００７】
上記目的を達成するため、本発明の遊技場システムは、請求項１に記載するように、会員登録された遊技客の情報を管理する会員管理装置と、ネットワークを介して会員管理装置と通信可能に接続される端末装置を備える遊技場システムであって、会員管理装置は、端末装置を介して、会員登録された遊技客からテレビ番組の録画依頼を受け付ける録画依頼受付手段を備える構成としてある。
【０００８】
このようにすると、会員登録された遊技客に対して、テレビ番組の録画代行という価値の高いサービスを提供し、サービスの向上、他店との差別化、遊技客の増加などが図れる。例えば、テレビ番組の録画予約を忘れて来店した遊技客に対して、テレビ番組の録画代行サービスを提供することにより、遊技の継続を可能にするだけでなく、テレビ番組の録画代行サービスを目的とした来店も促すことができる。
なお、録画代行サービスの対象となるテレビ番組としては、録画依頼を受け付けた後に放送されるテレビ番組だけでなく、録画依頼を受け付ける以前に放送されるテレビ番組を含むことができる。また、録画処理は、依頼されたテレビ番組の全部を一括録画する場合の他、当該テレビ番組の一部（例えば後半部分）のみを編集録画，短縮録画等する場合も含まれる。
【０００９】
また、請求項２に記載するように、会員管理装置は、所定の記録媒体にテレビ番組を録画するテレビ番組録画装置に対して、録画依頼のあったテレビ番組の録画を指示する録画指示手段を備える構成としてある。
このようにすると、録画依頼のあった一又は複数のテレビ番組を自動的に録画できるので、遊技場スタッフの作業負担を抑えつつ、録画代行サービスを提供することが可能になる。
【００１０】
また、請求項３に記載するように、会員管理装置は、録画代行サービスの対価を、遊技客が獲得した遊技媒体から引き落とす決済手段を備える構成としてある。
このようにすると、現金の受け渡しを行わなくても、録画代行サービスを有償で提供することができる。特に、遊技客が貯蓄した貯玉から代金を引き落とすようにすれば、既存の貯玉システムを利用した決済が可能になる。
【００１１】
また、請求項４に記載するように、端末装置は、遊技機毎に設置される台端末、遊技情報を開示する遊技情報端末、及び／又は、景品交換カウンタに設置される景品交換端末で構成してある。
このようにすると、既存の端末装置を利用して録画依頼を受け付けることができるので、録画代行サービスの提供が可能な遊技場システムを安価に構築することが可能になる。
【００１２】
また、本発明の会員管理装置は、請求項５に記載するように、会員登録された遊技客の情報を管理するとともに、ネットワークを介して端末装置と通信可能な会員管理装置であって、端末装置を介して、会員登録された遊技客からテレビ番組の録画依頼を受け付ける録画依頼受付手段を備える構成としてある。
このようにすると、会員登録された遊技客に対して、テレビ番組の録画代行という価値の高いサービスを提供し、サービスの向上、他店との差別化、遊技客の増加などが図れる。
【００１３】
また、本発明の会員管理装置は、請求項６に記載するように、所定の記録媒体にテレビ番組を録画するテレビ番組録画装置に対して、録画依頼のあったテレビ番組の録画を指示する録画指示手段を備える構成としてある。
このようにすると、録画依頼のあった一又は複数のテレビ番組を自動的に録画できるので、遊技場スタッフの作業負担を抑えつつ、録画代行サービスを提供することが可能になる。
【００１４】
さらに、本発明の会員管理装置は、請求項７に記載するように、録画サービスの対価を、遊技客が獲得した遊技媒体から引き落とす決済手段を備える構成してある。
このようにすると、現金の受け渡しを行わなくても、録画代行サービスを有償で提供することができる。
【発明の効果】
【００１５】
本発明の遊技場システム及び会員管理装置によれば、遊技場に備えられる会員管理装置が、端末装置を介して、会員登録された遊技客からテレビ番組の録画依頼を受け付けることができ、これによって、会員登録された遊技客に対して、テレビ番組の録画代行という価値の高いサービスを提供することが可能になる。
従って、本発明によれば、テレビの録画代行という従来にはないサービスによって遊技客に対するサービスの向上が図れるだけでなく、他店との差別化も可能になり、その結果、遊技客の大幅な増加が期待できる。
【発明を実施するための最良の形態】
【００１６】
以下、本発明の遊技場システム及び会員管理装置の好ましい一実施形態について、図面を参照して説明する。
図１は、遊技場システムの全体構成を示すブロック図、図２は、台端末の構成を示すブロック図、図３は、遊技情報端末の構成を示すブロック図、図４は、景品交換端末の構成を示すブロック図、図５は、テレビ番組録画装置のブロック図、図６は、会員管理装置のブロック図である。
【００１７】
図１に示すように、遊技場システムは、パチンコ機やパチスロ機等の遊技機が設置される遊技場ホールに備えられるシステムである。
具体的には、本システムは、パチンコ機やパチスロ機等からなる遊技機１ａ〜１ｎと、各遊技機に一対一で対応して遊技機毎に設置される台間玉貸機２ａ〜２ｎと、各台間玉貸機２ａ〜２ｎに備えられる台端末１０ａ〜１０ｎと、遊技情報を開示する遊技情報端末２０と、景品交換カウンタに設置される景品交換端末３０と、テレビ番組を所定の記録媒体に録画するテレビ番組録画装置４０（４０ａ，４０ｂ・・・）と、会員登録された遊技客の情報を管理する会員管理装置５０と、これらを通信可能に接続するＬＡＮなどのネットワーク６０とを備えて構成されている。
【００１８】
本実施形態の遊技場システムでは、会員登録された遊技客（以下、単に会員という）を認証するために、固有の会員ＩＤを記録した会員カードが各会員に発行され、この会員カードの利用により、貯玉サービスを含む各種のサービスが提供されるようになっている。
ここで、貯玉サービスとは、獲得した遊技媒体を景品に交換することなく、再プレイ可能な状態で遊技場に貯蓄できるサービスであり、景品交換端末３０や遊技媒体計数機（図示せず）において遊技媒体を貯蓄する際や、景品交換端末３０や台間玉貸機２において貯玉を引き出す際に会員カードが使用される。
そして、本実施形態では、このような会員カードを利用してテレビ番組録画サービスが提供されるようになっている。なお、本システムにおいて録画可能なテレビ番組は、主として公共放送にかかるテレビ番組であり、代行録画サービスについて放送事業者等との間で許諾契約等がなされているものとする。
【００１９】
図２に示すように、台端末１０は、ネットワーク６０に接続される通信部１１と、液晶パネルなどの表示部１２と、タッチパネルなどの操作部１３と、会員カードの読み取りを行うカードリーダ１４（通常は台間玉貸機２のカードリーダを兼用）と、これらを制御する制御部１５とを備えて構成され、例えば、台間玉貸機２から前方に突出するように設置される。
【００２０】
台端末１０は、会員カードの使用者に対し、各種の会員サービスを提供することができる。例えば、会員カードを挿入後、暗証番号を入力し、会員の認証が完了すると、各種の会員サービスを含むサービスメニューが表示される。
ここで、会員がメニュー選択操作を行うことにより、遊技情報表示サービス、テレビ番組録画代行サービスなど、所望の会員サービスを受けることが可能になる。
【００２１】
本発明の特徴であるテレビ番組録画代行サービスは、録画したいテレビ番組を指定すると、そのテレビ番組を所定の記録媒体に録画して、会員に提供するサービスである。
録画したいテレビ番組の指定方法としては、例えば、テレビ番組表を台端末１０の画面に表示し、その中から録画したい一又は複数のテレビ番組を選択する方法、録画したいテレビ番組のチャンネル、開始時間及び終了時間を入力する方法、録画したいテレビ番組コード（チャンネル、開始時間及び終了時間から生成される番組特定コード）を入力する方法などが挙げられる。
【００２２】
図３に示すように、遊技情報端末２０は、ネットワーク６０に接続される通信部２１と、液晶パネルなどの表示部２２と、テンキーなどの操作部２３と、会員カードの読み取りを行うカードリーダ２４と、これらを制御する制御部２５とを備えて構成され、遊技場の適所に設置される。
遊技情報端末２０は、会員カードの使用者に対し、各種の会員サービスを提供することができる。例えば、会員カードを挿入後、暗証番号を入力し、会員の認証が完了すると、各種の会員サービスを含むサービスメニューが表示される。
ここで、メニュー選択操作を行うことにより、遊技情報表示サービス、テレビ番組録画代行サービスなど、所望の会員サービスを受けることが可能になる。なお、テレビ番組録画代行サービスに係る操作手順は、台端末１０と同様にして行うことができる。
【００２３】
図４に示すように、景品交換端末３０は、ネットワーク６０に接続される通信部３１と、液晶パネルなどの表示部３２と、テンキーなどの操作部３３と、会員カードの読み取りを行うカードリーダ３４と、遊技媒体計数機が発行したレシートを読み取るレシートリーダ３５と、これらを制御する制御部３６とを備えて構成され、景品交換カウンタに設置される。
景品交換端末３０は、遊技媒体計数機が発行したレシートから遊技媒体数を読み取り、これを景品に交換したり、貯玉として会員管理装置５０に記録するＰＯＳ端末として使用されるものであるが、本実施形態では、会員にテレビ番組録画代行サービスを提供する端末装置に兼用される。
なお、テレビ番組録画代行サービスに係る操作手順は、台端末１０，遊技情報端末２０の場合と同様にして行うことができる。また、このテレビ番組録画代行サービスに係る操作は、店員、会員のいずれが行ってもよい。
【００２４】
図５に示すように、テレビ番組録画装置４０は、ネットワーク６０に接続される通信部４１と、テレビ放送を受信するテレビチューナ４２と、テレビ番組を所定の記録媒体に録画する書き込み部４３と、これらを制御する制御部４４とを備えて構成され、景品交換カウンタなどに設置される。
テレビ番組録画装置４０は、ネットワーク６０を介して、会員管理装置５０から録画指示を受信するとともに、録画指示に含まれる番組特定情報に基づいてテレビ番組を特定し、このテレビ番組を所定の記録媒体に録画する機能を備える。
【００２５】
ここで、録画対象となる一又は複数のテレビ番組は、録画依頼を受け付けた後に放送されるテレビ番組だけでなく、録画依頼を受け付ける以前に放送されるテレビ番組を含むことができる。また、録画処理は、依頼されたテレビ番組の全部を一括録画する場合の他、当該テレビ番組の一部（例えば後半部分）のみを編集録画，短縮録画等する場合も含まれる。
テレビ番組を録画する記録媒体としては、磁気テープ、光ディスクなど、任意の記録媒体を使用可能であるが、異なる種類の記録媒体にテレビ番組を録画する複数のテレビ番組録画装置４０（図１に示すテレビ番組録画装置４０ａ，４０ｂ・・・参照）を設置することが好ましい。このようにすると、会員が記録媒体の種類を選択できるようになるので、サービスの向上が図れる。
【００２６】
また、テレビ番組録画装置４０は、多チャンネル同時録画機能、ハードディスク録画機能、記録媒体自動供給／排出機能などを備えることが好ましい。
例えば、多チャンネル同時録画機能を備える場合は、数少ないテレビ番組録画装置４０でも、多数の録画依頼に対応することが可能になる。また、ハードディスク録画機能を備える場合は、過去に放映されたテレビ番組を録画しておき、これを複製して会員に提供することが可能になる。また、記録媒体自動供給／排出機能を備える場合は、手作業による記録媒体の供給作業や排出作業を省き、店員の負担を軽減することができる。
【００２７】
なお、テレビ番組の録画を代行し、記録媒体を提供する場合、著作権法上の許諾契約等がなされている必要がある。例えば、公共放送の録画を代行するサービスは、許諾契約等がない場合には著作権法に抵触する可能性があり、放送局などの放送事業者，著作権者と事前に許諾契約等を締結することが必要となる。
このような許諾契約等は、特に、地方のローカル番組のように、テレビ番組録画代行サービスを提供する遊技場自体が当該テレビ番組のスポンサーとなっているような場合には、円滑に契約の締結等が行われることになる。
【００２８】
図６に示すように、会員管理装置５０は、ネットワーク６０に接続される通信部５１と、会員情報（会員ＩＤ、暗証番号など）、貯玉情報（貯玉数など）、プログラムなどを記憶するハードディスクなどの記憶部５２と、これらを制御する制御部５３とを備えるコンピュータであって、記憶部５２に記憶される会員管理プログラムにもとづいて動作される。
会員管理装置５０の制御部５３は、ハードウエア及びソフトウエアにより実現される機能的な構成として、会員認証手段５３ａ、録画依頼受付手段５３ｂ、録画指示手段５３ｃ及び決済手段５３ｄ等を備える。
会員認証手段５３ａは、会員カードから読み取った会員ＩＤと、会員が入力した暗証番号を台端末１０などの端末装置から受信するとともに、これらを記憶部５２に記憶している正規の会員ＩＤ及び暗証番号と照会し、その照会結果を端末装置に返信する機能である。
【００２９】
録画依頼受付手段５３ｂは、台端末１０などの端末装置を介して、会員からテレビ番組の録画依頼を受け付ける機能であり、録画依頼には、会員を特定するための情報、テレビ番組を特定するための情報、選択された記録媒体の情報などが含まれている。
録画指示手段５３ｃは、テレビ番組録画装置４０に対して、録画依頼のあったテレビ番組の録画を指示する機能であり、録画指示には、テレビ番組を特定するための情報、選択された記録媒体の情報などが含まれている。
決済手段５３ｄは、録画代行サービスを有償で提供する場合、その対価を決済する機能であり、例えば、遊技客が獲得した遊技媒体（貯玉）から代金を引き落とすことができる。
【００３０】
次に、本実施形態にかかる遊技場システムの動作について、図７及び図８を参照して説明する。なお、以下では本発明の特徴であるテレビ番組録画代行サービスを中心に説明し、貯玉サービスなどの公知のサービスについては詳細な説明を省略する。
図７は、遊技場システムの全体動作を示すフローチャート、図８は、会員管理装置の制御手順を示すフローチャートである。
【００３１】
これらの図に示すように、テレビ番組録画代行サービスを希望する会員は、台端末１０などの端末装置に会員カードを挿入する。
端末装置は、会員カードの挿入を判断すると（Ｓ１０１）、会員ＩＤを読み取るとともに、暗証番号入力画面を表示し（Ｓ１０２）、会員に対して暗証番号の入力を求める。会員が暗証番号を入力すると、端末装置は、会員ＩＤ及び暗証番号を会員管理装置５０に送信する（Ｓ１０３）。
会員ＩＤ及び暗証番号を受信（Ｓ１０４、Ｓ２０１）した会員管理装置５０は、これらを、記憶している正規の会員ＩＤ及び暗証番号と照会し（Ｓ１０５、Ｓ２０２）、その照会結果を端末装置に返信する（Ｓ１０６、Ｓ２０３）。
【００３２】
会員が正常に認証されると（Ｓ１０７）、端末装置は、サービスメニューを表示する（Ｓ１０８）。
テレビ番組録画代行サービスを希望する会員は、ここでテレビ番組録画代行サービスを選択するとともに（Ｓ１０９）、端末装置が表示する録画番組指定画面において、テレビ番組を特定するための情報（番組コードなど）や、録画する記憶媒体の選択情報を入力する（Ｓ１１０）。
この画面入力操作が終わると（Ｓ１１１）、端末装置は、会員管理装置５０に対して録画依頼を送信する（Ｓ１１２）。この録画依頼には、会員を特定するための情報、テレビ番組を特定するための情報、選択された記録媒体の情報などが含まれている。
【００３３】
録画依頼を受信（Ｓ１１３、Ｓ２０４）した会員管理装置５０は、その会員の貯玉を参照するとともに（Ｓ１１４、Ｓ２０５）、録画代行サービスの代金を貯玉から引き落とし可能か否かを判断する（Ｓ１１５、Ｓ２０６）。
ここで、引き落としが可能な場合は、決済を実行するとともに（Ｓ１１６、Ｓ２０７）、録画依頼の受付完了通知を端末装置に送信し（Ｓ１１７、Ｓ１１８、Ｓ２０８）、一方、引き落としが不可能な場合は、録画依頼の無効通知を端末装置に送信する（Ｓ２０９）。
そして、録画依頼を受け付けた場合は、テレビ番組録画装置４０に対して、録画依頼のあったテレビ番組の録画を指示する（Ｓ１１９、Ｓ２１０）。この録画指示には、テレビ番組を特定するための情報、選択された記録媒体の情報などが含まれている。
【００３４】
テレビ番組録画装置４０は、会員管理装置５０からの録画指示に応じて（Ｓ１２０）、録画依頼のあったテレビ番組を所定の記録媒体に録画する（Ｓ１２１）。この記録媒体は、手動又は自動でテレビ番組録画装置４０から排出される。
テレビ番組録画代行サービスを依頼した会員は、遊技終了後、景品交換カウンタなどで記録媒体を受領する。
【００３５】
以上説明したように、本実施形態の遊技場システムによれば、会員登録された遊技客の情報を管理する会員管理装置５０と、ネットワーク６０を介して会員管理装置５０と通信可能に接続される台端末１０などの端末装置を備える遊技場システムにおいて、会員管理装置５０は、端末装置を介して、会員登録された遊技客からテレビ番組の録画依頼を受け付ける録画依頼受付手段５３ｂを備えることにより、会員登録された遊技客に対して、テレビ番組の録画代行という価値の高いサービスを提供することができ、これによって、遊技客に対するサービスの向上と、他店との差別化、遊技客の増加などを図ることができる。
【００３６】
また、会員管理装置５０は、所定の記録媒体にテレビ番組を録画するテレビ番組録画装置４０に対して、録画依頼のあったテレビ番組の録画を指示する録画指示手段５３ｃを備えるので、録画依頼のあったテレビ番組を自動的に録画することができる。
これにより、遊技場スタッフの作業負担を抑えつつ、録画代行サービスを提供することが可能になる。
【００３７】
また、会員管理装置５０は、録画代行サービスの対価を、遊技客が獲得した遊技媒体から引き落とす決済手段５３ｄを備えるので、現金の受け渡しを行わなくても、録画代行サービスを有償で提供することができる。
特に、遊技客が貯蓄した貯玉から代金を引き落とすようにすれば、既存の貯玉システムを利用した決済が可能になる。
【００３８】
また、端末装置は、遊技機毎に設置される台端末１０、遊技情報を開示する遊技情報端末２０、景品交換カウンタに設置される景品交換端末３０で構成してあるので、既存の端末装置を利用して録画依頼を受け付けることができる。
これにより、録画代行サービスの提供が可能な遊技場システムを安価に構築することが可能になる。
【００３９】
以上、本発明の遊技場システム及び会員管理装置について、好ましい実施形態を示して説明したが、本発明に係る遊技場システム及び会員管理装置は、上述した実施形態にのみ限定されるものではなく、本発明の範囲で種々の変更実施が可能であることは言うまでもない。
例えば、上述した実施形態では、本発明が適用される遊技場としてパチンコ機が設置されるパチンコホールを対象として説明したが、本発明が適用可能な遊技場に設置される遊技機としては、特にパチンコ機に限定されるものではなく、テレビ番組の録画サービスが必要となる遊技場である限り、設置される遊技機の種類や設置態様，設置数等は特に限定されず、どのような遊技機を設置する遊技場に対しても適用することができる。
一般に、遊技場に設置される遊技機としては、パチンコ機の他、例えば、スロットマシン，アレンジボール機，雀球機等、玉やコイン等の遊技媒体を使用して遊技を行う各種の遊技機があり、これらの遊技機をどのような態様等で設置する遊技場であっても、本発明の遊技場システム及び会員管理装置の対象とすることができる。
【産業上の利用可能性】
【００４０】
本発明は、パチンコホール，パチスロホールなどの遊技場に導入される遊技場システム及び会員管理装置に適用でき、本発明の適用により、会員登録された遊技客に対して、価値の高い会員サービスを提供し、サービスの向上、他店との差別化、遊技客の増加などが図れる。
【図面の簡単な説明】
【００４１】
【図１】遊技場システムの全体構成を示すブロック図である。
【図２】台端末の構成を示すブロック図である。
【図３】遊技情報端末の構成を示すブロック図である。
【図４】景品交換端末の構成を示すブロック図である。
【図５】テレビ番組録画装置のブロック図である。
【図６】会員管理装置のブロック図である。
【図７】遊技場システムの全体動作を示すフローチャートである。
【図８】会員管理装置の制御手順を示すフローチャートである。
【符号の説明】
【００４２】
１  遊技機
２  台間玉貸機
１０  台端末
２０  遊技情報端末
３０  景品交換端末
４０  テレビ番組録画装置
５０  会員管理装置
５３ａ  会員認証手段
５３ｂ  録画依頼受付手段
５３ｃ  録画指示手段
５３ｄ  決済手段
６０  ネットワーク
【図１】
2006198086.tif 000003
【図２】
2006198086.tif 000004
【図３】
2006198086.tif 000005
【図４】
2006198086.tif 000006
【図５】
2006198086.tif 000007
【図６】
2006198086.tif 000008
【図７】
2006198086.tif 000009
【図８】
2006198086.tif 000010